(57)【要約】【課題】仕切板に沿って容易に移動可能な商品陳列スタンド、及び当該商品陳列スタンドを含む商品陳列ユニットを提供すること。【解決手段】商品を陳列する陳列棚１０上において、陳列スペースを仕切るための仕切板２０の間に設置され、陳列商品の背面を受ける商品陳列スタンド３０であって、仕切板２０と係合するための係合部材４０を備えており、係合部材４０によって仕切板２０と係合した状態で、仕切板２０に沿って移動可能なことを特徴とする。【選択図】図１
2014039580.tif 000002
【特許請求の範囲】
【請求項１】
商品を陳列する陳列棚上において、陳列スペースを仕切るための仕切板の間に設置され、陳列商品の背面を受ける商品陳列スタンドであって、
前記仕切板と係合するための係合部材を備えており、
前記係合部材によって前記仕切板と係合した状態で、当該仕切板に沿って移動可能なことを特徴とする商品陳列スタンド。
【請求項２】
前記商品陳列スタントが、斜めに陳列された陳列商品の背面を受ける場合に、
前記係合部材は、前記陳列商品の自重によって前記商品陳列スタントが後方へ移動しないように、係合された状態を維持可能なことを特徴とする請求項１に記載の商品陳列スタンド。
【請求項３】
請求項１または２に記載の商品陳列スタンドと、
前記陳列棚板上の陳列スペースを仕切るための仕切板と、を備えた商品陳列ユニットであって、
前記商品陳列スタンドが当該仕切板に沿って移動する際に、前記係合部材が前記仕切板から外れないように、  
前記仕切板の上端側には、ガイドレールを、
前記係合部材には、前記ガイドレールに係止する係止手段を、
備えたことを特徴とする商品陳列ユニット。
【請求項４】
前記商品陳列スタンドの移動を補助する補助レールを、前記陳列棚上に設けたことを特徴とする請求項３に記載の商品陳列ユニット。
【発明の詳細な説明】
【技術分野】
【０００１】
本願発明は、店舗等で商品を陳列するための商品陳列スタンドと、当該商品陳列スタンドと陳列スペースを仕切るための仕切板とを備えた商品陳列ユニットに関するものである。
【背景技術】
【０００２】
従来から、商品を陳列して展示するための商品陳列棚上に、各商品を分別して陳列するための仕切板を備えた商品陳列ユニットとして、例えば、特許文献１に示す商品陳列ユニットが知られている。そして、陳列された商品が後方に倒れたり、移動しないようにするために、最後尾の陳列商品の背面側に商品陳列スタンドが、前記商品陳列ユニットとは別途用意して設置されていた。この商品陳列スタンドは、主にＬ字形状をしているので商品陳列棚上で直立することができる。さらに、商品が後方に倒れたり移動しないように、その底部裏面に強力な磁石等が設けられているので、設置された状態を維持できる。
【０００３】
ところが、上記の商品陳列スタンドは、仕切板とは独立したものであって、その底部裏面に強力な磁石等が設けられているので、仕切板に沿って移動させるのが困難であった。また、前方に陳列された商品が取り出された場合、後方の商品を仕切板に沿って前方に押し出し、それに伴って商品陳列スタンドも前方に移動させる作業が必要となるが、従来の商品陳列スタンドは、仕切板に沿って移動させるのが困難であり、当該作業は非常に煩雑となっていた。
【先行技術文献】
【特許文献】
【０００４】
【特許文献１】特願２０１０−２４１８８５号
【発明の開示】
【発明が解決しようとする課題】
【０００５】
そこで、本願発明は上記問題に鑑み、仕切板に沿って容易に移動可能な商品陳列スタンド、及び当該商品陳列スタンドを含む商品陳列ユニットを提供することを目的としている。
【課題を解決するための手段】
【０００６】
本願発明の商品陳列スタンドは、商品を陳列する陳列棚上において、陳列スペースを仕切るための仕切板の間に設置され、陳列商品の背面を受ける商品陳列スタンドであって、前記仕切板と係合するための係合部材を備えており、前記係合部材によって前記仕切板と係合した状態で、当該仕切板に沿って移動可能なことを特徴としている。
【０００７】
上記特徴によれば、商品陳列スタンドが、係合部材により仕切板に係合し、なおかつ、係合した状態で仕切板に沿って移動可能なため、作業者は商品陳列スタンドを前後方向に移動させるだけで、仕切板に沿って容易に商品陳列スタンドを移動させることができる。
【０００８】
さらに、本願発明の商品陳列スタンドは、前記商品陳列スタントが、斜めに陳列された陳列商品の背面を受ける場合に、前記係合部材は、前記陳列商品の自重によって前記商品陳列スタントが後方へ移動しないように、係合された状態を維持可能なことを特徴とする。
【０００９】
上記特徴によれば、商品陳列スタンドは、斜めに陳列された陳列商品の自重によって後方へ移動しないため、通常の展示時（作業者が、商品陳列スタンドを移動させない時）において、商品が陳列された状態を維持することができる。
【００１０】
さらに、本願発明の商品陳列ユニットは、商品陳列スタンドと、陳列棚板上の陳列スペースを仕切るための仕切板と、を備えた商品陳列ユニットであって、前記商品陳列スタンドが当該仕切板に沿って移動する際に、前記係合部材が前記仕切板から外れないように、前記仕切板の上端側には、ガイドレールを、前記係合部材には、前記ガイドレールに係止する係止手段を備えたことを特徴とする。
【００１１】
上記特徴によれば、商品陳列スタンドが仕切板のガイドレールに係止する係止手段を備えているので、作業者が商品陳列スタンドを前後方向に移動させても、商品陳列スタンドが仕切板から外れる事がなく、容易に作業をすることができる。
【００１２】
さらに、本願発明の商品陳列ユニットは、商品陳列スタンドの移動を補助する補助レールを、前記陳列棚上に設けたことを特徴とする。
【００１３】
上記特徴によれば、作業者が、仕切板に沿って商品陳列スタンドをさらに容易に移動させることができる。
【発明の効果】
【００１４】
上記に記したように、本願発明の商品陳列スタンド、及び商品陳列ユニットによれば、商品陳列スタンドを仕切板に沿って容易に移動させることができる。
【図面の簡単な説明】
【００１５】
【図１】本願発明の商品陳列ユニットの斜視図を示すものである。
【図２】本願発明の仕切板を示すもので、（ａ）は仕切板の平面図、（ｂ）は仕切板の側面図、（ｃ）は仕切板のＡ―Ａ拡大断面図である。
【図３】（ａ）は本願発明の仕切板を設置するのに用いる陳列商品表示具の側面図、（ｂ）は、陳列商品表示具に仕切板を取り付けた側面図である。
【図４】（ａ）は本願発明の商品陳列スタンドの土台部の正面図、（ｂ）は側面図、（ｃ）は本願発明の商品陳列ユニットの補助レールの側面図、（ｄ）は下面図である。
【図５】（ａ）は本願発明の商品陳列スタンドの延長部の正面図、（ｂ）は側面図である。
【図６】（ａ）は本願発明の商品陳列スタンドの係合部材の平面図、（ｂ）は正面図、（ｃ）は側面図である。
【図７】（ａ）は本願発明の商品陳列ユニットの拡大斜視図、（ｂ）は商品陳列ユニットの背面側の拡大斜視図、（ｃ）は係合部材及びガイドレールの拡大正面図、（ｄ）は、ばねの斜視図である。
【図８】（ａ）は、本願発明の一変形例の商品陳列ユニットの拡大斜視図、（ｂ）は係合部材の正面図、（ｃ）は係合部材及びガイドレールの拡大正面図である。
【発明を実施するための形態】
【００１６】
以下に、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００１７】
図１は、本願発明の商品陳列ユニット１００の斜視図を示すものである。商品陳列ユニット１００は、陳列スペースを仕切るために陳列棚１０上に設置された仕切板２０と、商品の背面を受けて支持する商品陳列スタンド３０からなり、商品陳列スタンド３０（１）は、その両端に固定された係合部材４０により、仕切板２０（１）及び仕切板２０（２）と係合している。また、陳列棚１０の前方には、商品の値段等の情報を掲載するための陳列商品表示具５０が設けられている。
【００１８】
図１に示すように商品の展示時には、顧客によく見えるように商品ＸＳを傾けて陳列する場合がある。そして、その傾けた状態を維持するために、商品陳列スタンド３０（１）は、最後列の商品ＸＳをその背面から受けて支持している。このように各商品は傾けて斜めに陳列されているので、商品陳列スタンド３０（１）には陳列されている商品ＸＳの合計の重量がかかることになる。しかし、後述するが、この商品陳列スタンド３０（１）の係合部材４０（１）及び４０（２）は、商品の合計の重量がかかっても商品陳列スタンド３０（１）が後方へ移動しないように、係合された状態を維持できるので、図１に示すように商品が斜めに陳列された状態を維持することができる。なお、ここでは、商品を斜めに傾けて陳列した場合を想定しているが、これに限らず、商品を垂直に立てて陳列した場合には、商品陳列スタンド３０（１）はその商品が後方に倒れないように支持することもできる。
【００１９】
次に、顧客等によって最前列の商品ＸＳが取り出されると、その商品ＸＳ分の陳列スペースが空いてしまう。そこで、店員等の作業者は、次に陳列されている商品ＸＳが最前列に位置するように、残りの全ての商品ＸＳを前方に移動させる。これに伴い、商品陳列スタンド３０（１）も前方に移動させる必要があるが、後述するように、商品陳列スタンド３０（１）は係合部材４０により仕切板２０に沿って簡単に移動させることができる。なお、当該移動を補助するために、商品陳列スタンド３０（１）、３０（２）及び３０（３）の下端には、補助レール８０及びばねSが設けられている。
【００２０】
また、商品ＸＳよりも横幅が広い商品ＸＬを陳列させる場合は、最後列の商品ＸＬの両側背面を商品陳列スタンド３０（２）と商品陳列スタンド３０（３）により支持する。この商品陳列スタンド３０（２）は片側の係合部材４０（３）のみにより仕切板２０（２）と係合している。一方、商品陳列スタンド３０（３）は片側の係合部材４０（４）のみにより仕切板２０（３）と係合している。そして、最前列の商品ＸＬが取り出されて残りの全ての商品ＸＬを前方に移動させた場合は、それに伴い、商品陳列スタンド３０（２）と商品陳列スタンド３０（３）をそれぞれ前方に移動させる。なお、商品陳列スタンドの高さを仕切板の高さに応じて変更できるように、商品陳列スタンド３０（３）は、土台部６０（３）と延長部７０（３）を連結して構成されている。
【００２１】
また、２つの商品陳列スタンド３０（２）及び商品陳列スタンド３０（３）を使用する場合は、内側、つまり仕切板２０（２）及び仕切板２０（３）と係合しない側には、係合部材４０を設けていない。そのため、商品陳列スタンド３０（２）の被取付部７７（２）と、商品陳列スタンド３０（３）の被取付部７７（３）を利用して、両商品陳列スタンドを連結する連結部材を取り付けてもよい。同様に、図４に示す商品陳列スタンド３０を構成する土台部６０の被取付部６７を利用して連結部材を取り付けることもできる。
【００２２】
次に、図２（ａ）及び（ｂ）を参照して、仕切板２０の構成について説明する。仕切板２０は、薄板状の本体２１と、本体２１の前方下端に円柱状の連結部２２、上端２１ｂ側に本体２１から連続してガイドレール２３が設けられている。本体２１は略長方形をしており、その下端２１ａと上端２１ｂとが互いに平行になっている。ガイドレール２３は、本体２１の下端２１ａ及び上端２１ｂに対して平行、かつ、上端２１ｂの全長にわたり直線状に設けられている。後述するが、連結部２２が陳列商品表示具５０の嵌込部５１に嵌め込まれることで、仕切板２０は陳列商品表示具５０に連結し、陳列棚１０上で立設する。この連結部２２は円柱を横に倒した形状であり、嵌込部５１が連結部２２全体を包み込むように把持することから、仕切板２０は倒れること無く立設することができる。
【００２３】
次に、図２（ｃ）には、図２（ｂ）のＡ―Ａ断面を拡大して示してある。本体２１の上端２１ｂに設けられたガイドレール２３の断面は凹凸状になっており、当該断面形状が、上端２１ｂの長軸方向の全長にわたり連続している。具体的には、上側から凹部２４、凸部２５、凹部２６が連続して形成されている。凹部２４の幅はＬ１、高さはＨ１、凸部２５の幅はＬ２、高さはＨ２、凹部２６の幅はＬ３、高さはＨ３となっている。
【００２４】
後述するが、ガイドレール２３の断面形状に一致する開口４２を備えた係合部材４０が、このガイドレール２３に係合及び係止する。なお、このガイドレール２３の断面は、係合部材４０と係合及び係止出来るものであれば、凹凸が反対の形状や、その他、当業者が考え得る限り、どのようなものでもよい。また、仕切板２０全体は、ポリスチレンなどの熱可塑性プラスチックで一体成形されている。
【００２５】
次に、図３（ａ）及び（ｂ）を参照して、陳列商品表示具５０の構成について説明する。陳列商品表示具５０は、上側に開口したＣ状の嵌込部５１、陳列棚１０の嵌込溝１３に差し込まれる突起板５２、商品の価格表などを内側に挟み込む表示板５３、販売促進用の掲示等を挟む掲示クリップ５４からなる。この陳列商品表示具５０全体は、ポリエチレンテレフタレートなどの素材で一体形成されている。また、陳列商品表示具５０全体は、店舗等の冷凍庫又は保温庫などで使用される場合には、ABS樹脂（アクリロニトリル、ブタジエン、スチレン共重合合成樹脂）で一体形成することで、損傷を防ぐことができる。
【００２６】
図３（ｂ）は、陳列棚１０に仕切板２０及び陳列商品表示具５０を組みつけた状態を示している。陳列棚１０は、本体１１と前端部１２の間に嵌込溝１３を有している。そして、嵌込溝１３に陳列商品表示具５０の突起板５２が差し込まれて、陳列商品表示具５０が陳列棚１０に固定される。この陳列商品表示具５０の嵌込部５１には、仕切板２０の連結部２２が嵌め込まれ、仕切板２０が陳列棚１０上で立設する。なお、嵌込部５１は上側が開口しているが、その開口幅が連結部２２の直径より狭いので、連結部２２を上方から嵌め込めば、仕切板２０が嵌込部５１から簡単に外れることはない。
【００２７】
次に、図４（ａ）及び（ｂ）を参照して、土台部６０の構成について説明する。土台部６０は、商品陳列スタンド３０の下側部分を構成しており、後述する延長部７０を上方に取り付けることができる。土台部６０は、大別すると、平坦な板状の本体部６１及び底面部６２と、本体部６１と底面部６２を連結するリブ６３とからなり、直立性を維持できる構造となっている。
【００２８】
本体部６１の上端には、延長部７０と連結するための舌状に伸びた中央連結部材６５及び左右連結部材６６が設けてある。中央連結部材６５は、その表面が平坦な平坦面６５ａと、その平坦面６５ａから凹んだ溝６５ｂから構成される。同様に、左右連結部材６６は、その裏面が平坦な平坦面６６ａと、その平坦面６６ａから凹んだ溝６６ｂから構成される。後述するが、この溝６５ｂ及び溝６６ｂには、延長部７０の爪部７５ｂ及び爪部７６ｂがそれぞれ係止する。なお、土台部６０に延長部７０を連結しない場合は、中央連結部材６５と左右連結部材６６の間に、販売促進用の掲示等を挟むこともできる。
【００２９】
本体部６１の両端の中間位置には、係合部材４０を着脱可能に取り付けるための被取付部６７が設けてある。この被取付部６７は、貫通孔６７ａと背面側に矩形状の肉厚部６７ｂから構成される。なお、被取付部６７の位置は、係合部材４０を介して係合する仕切板２０の高さに応じて、任意の位置に設けることができる。
【００３０】
さらに、本体部６１の下端の底面部６２は、図４（ｃ）及び（ｄ）に示す補助レール８０を取り付ける凹溝６４を備える。この凹溝６４は、上面６４ａ及び側面６４ｂから構成され、その断面は、補助レール８０の断面と一致している。そのため、凹溝６４に補助レール８０を通すと、上面６４ａが補助レール８０の上面８０ａに接触し、側面６４ｂが側面８０ｂに接触して、凹溝６４が補助レール８０に係止するので、土台部６０が補助レール８０から外れることがない。
【００３１】
また、底面部６２の裏面には、磁石を張り付けてもよい。この磁石の磁力により金属製の棚本体１０表面に、土台部６０が確実に直立設置される。ただし、この磁力は、土台部６０（又は、商品陳列スタンド３０）の移動の妨げにならない程度に弱いものとする。また、凹溝６４の上側には、後述するが、ばねSの先端側が引き出される引き出し口Cが設けられている。ばねSは、２本のリブ６３の間に挟まれ、その先端側が引き出し口Cから引き出されるように取り付けられる。
【００３２】
また、図４（ｃ）及び（ｄ）に示すように、補助レール８０は断面形状が均一な長尺体であるので、土台部６０は補助レール８０上を、長軸方向に移動可能となっている。なお、平坦な下面８０ｃに両面テープ等の接着部材８０ｄを取り付けることで、補助レール８０を陳列棚１０の表面に取り付けることができる。また、この補助レール８０は、土台部６０と同じ素材（本実施例では、補助レール８０及び土台部６０は、ポリアセタール樹脂）によって形成されているので、補助レール８０と凹溝６４との接触面は滑りやすくなっている。したがって、土台部６０は補助レール８０上を滑らかに移動することができる。
【００３３】
次に、図５（ａ）及び（ｂ）を参照して、延長部７０の構成について説明する。延長部７０は、商品陳列スタンド３０の上側部分を構成しており、土台部６０と連結して使用することができる。延長部７０は、平坦な板状の本体部７１の下端に土台部６０と連結するための舌状に伸びた中央連結部材７５及び左右連結部材７６を備える。本体部７１の両端の中間位置には、係合部材４０を着脱可能に取り付けるための被取付部７７が設けてあり、この被取付部７７は、貫通孔７７ａと背面側に矩形状の肉厚部７７ｂから構成される。
【００３４】
中央連結部材７５は、その裏面が平坦な平坦面７５ａと、その平坦面７５ａから凸設された爪部７５ｂから構成される。同様に、左右連結部材７６は、その表面が平坦な平坦面７６ａと、その平坦面７６ａから凸設された爪部７６ｂから構成される。なお、土台部６０及び延長部７０の横幅は、商品の横幅に応じて、適宜変更することができる。
【００３５】
次に、図６（ａ）から（ｃ）を参照して、係合部材４０の構成について説明する。係合部材４０は、仕切板２０と係合及び係止するための開口４２を備えた本体部４１と、商品陳列スタンド３０に取り付けるための取付部４７から構成される。この本体部４１の開口４２は、下方へ開口し、本体部４１の前面４１ａから背面４１ｂにわたり貫通している。
【００３６】
この開口４２は、上側から狭幅部４４、広幅部４５、狭幅部４６が連続して形成されており、その開口断面は、ガイドレール２３の断面と同一形状をしている。具体的には、狭幅部４４の幅Ｌ４は凹部２４のＬ１（図２（ｃ）参照）と、高さＨ４は凹部２４のＨ１と、広幅部４５の幅Ｌ５は凸部２５のＬ２と、高さＨ５は凸部２５のＨ２と、狭幅部４６の幅Ｌ６は凹部２６のＬ３と、高さＨ６は凹部２６のＨ３と、それぞれ等しい。
【００３７】
したがって、この開口４２がガイドレール２３に係合すると、狭幅部４４の上面４４ａ及び両側面４４ｂが、凹部２４の上面２４ａ及び両側面２４ｂに、広幅部４５の上面４５ａ及び両側面４５ｂが、凸部２５の上面２５ａ及び両側面２５ｂに、狭幅部４６の上面４６ａ及び両側面４６ｂが、凸部２５の下面２５ｃ及び凹部２６の両側面２６ｂにそれぞれ接触することになる。なお、この係合部材４０全体は、ポリアセタール樹脂などの素材で一体形成されている。
【００３８】
このように、開口４２とガイドレール２３の各面は接触しているので、商品の自重等により、商品陳列スタンド３０と共に本体部４１がガイドレール２３に沿って移動しようとすると、当該接触面に摩擦力が生じる。したがって、後述するが、斜めに陳列された商品の自重によって、商品陳列スタンド３０が後方に移動することを、この摩擦力により防止することが出来る。また、この摩擦力は、作業者が仕切板に沿って商品陳列スタンド３０を移動するのを妨げない程度の大きさとなっている。なお、開口４２とガイドレール２３の全ての面が接触している必要はなく、少なくとも一つの面が接触してればよい。
【００３９】
本実施例では、本体部４１の材質はポリアセタール樹脂、ガイドレール２３の材質はポリスチレンなどの熱可塑性プラスチックであり、接触面に生じる摩擦力は当該材質固有の摩擦係数に依存している。なお、仕切板に沿って商品陳列スタンド３０を移動させるのに妨げにならず、なおかつ、斜めに陳列された商品の自重によって、商品陳列スタンド３０が後方に移動しない程度の摩擦力が生じる範囲内で、本体部４１の材質及びガイドレール２３の材質を適宜変更したり、また両者の接触面に微細な凹凸を加工して摩擦力を生じさせることもできる。
【００４０】
また、開口４２の各部分の幅をガイドレール２３の各部分の幅より僅かに狭くすることで（つまり、Ｌ４＜Ｌ１、Ｌ５＜Ｌ２、Ｌ６＜Ｌ３となる。）、開口４２がガイドレール２３を両側から挟み込み、摩擦力を増すこともできる。なお、この摩擦力が、作業者が仕切板に沿って商品陳列スタンド３０を移動させるのに妨げにならず、なおかつ、斜めに陳列された商品の自重によって、商品陳列スタンド３０が後方に移動しない程度の大きさとなるように、各幅を調節することができる。
【００４１】
また、狭幅部４６の幅Ｌ６は、ガイドレール２３の凸部２５の幅Ｌ２より狭くしてあるので、係合部材４０をガイドレール２３に係合させた場合に、係合部材４０が上方に引っ張られても、狭幅部４６の上面４６ａが凸部２５の下面２５ｃに係止し、係合部材４０が抜けるのを防止する。つまり、狭幅部４６は、ガイドレール２３の凸部２５に、係止する係止手段となる。
【００４２】
次に、係合部材４０を延長部７０（図５参照）に固定することについて説明する。係合部材４０の取付部４７は、互いに向き合った鍵爪状の爪部４７ａと平坦な板部４７ｃとを備える。この爪部４７ａと板部４７ｃとの間に、延長部７０の被取付部７７を挟み込み、爪部４７ａの先端の凸部４７ｂを貫通孔７７ａに嵌め込み係止させることで、係合部材４０が延長部７０に着脱可能に固定される。なお、同様に、係合部材４０は土台部６０の被取付部６７に着脱可能に固定することもできる。
【００４３】
また、図６（ａ）に示すように、取付部４７の延長部７０（又は土台部６０）への取り付け方向Ｙと、開口４２の貫通方向Ｘとは、直角になっている。したがって、係合部材４０を取り付けた商品陳列スタンド３０は、ガイドレール２３及び仕切板２０に対して直角に交わる姿勢を維持しながら、ガイドレール２３に沿って移動することができる。
【００４４】
次に、図７（ａ）から（ｃ）を参照して、仕切板２０、係合部材４０、土台部６０、延長部７０、補助レール８０を組みつけた商品陳列ユニット１００の構成について説明する。
【００４５】
商品陳列スタンド３０は、仕切板２０の高さに合わせて、土台部６０と延長部７０とを連結して構成している。この延長部７０は、土台部６０の上方から差し込まれるように連結されており、図７（ａ）及び（ｂ）に示すように、土台部６０の中央連結部材６５が延長部７０の中央連結部材７５と、土台部６０の左右連結部材６６が延長部７０の左右連結部材７６と、互いに向き合うように接触している。
【００４６】
具体的には、平坦面６５ａ（図４参照）と平坦面７５ａ（図５参照）、平坦面６６ａと平坦面７６ａとが面接触しているので、土台部６０に連結された延長部７０の立直性が保持されている。また、爪部７５ｂが溝６５ｂに係止し、爪部７６ｂが溝６６ｂに係止しているので、延長部７０が土台部６０から抜けるのを防止している。
【００４７】
図に示すように、延長部７０の両端の被取付部７７には、係合部材４０（１）及び係合部材４０（２）が取り付けられている。この係合部材４０（１）及び４０（２）は、仕切板２０の上端部に設けられたガイドレール２３に係合し、土台部６０の底面部６２は、陳列棚１０上面に設置されている。このように、商品陳列スタンド３０は、その上端側の両側の係合部材４０（１）及び４０（２）、その下端側の底面部６２により、互いに離れた３点によって支えられて、立直した姿勢を安定して維持できる。反対に、両側の仕切板２０は、係合部材４０（１）又は４０（２）を介して商品陳列スタンド３０と連結することで、左右に転倒しにくくなる。
【００４８】
また、ガイドレール２３と係合部材４０（２）とを拡大して示した図７（ｃ）からわかるように、係合部材４０（２）はガイドレール２３に係合し、係合部材４０（２）の開口４２の各面がガイドレール２３の各面に接触している。そして、狭幅部４６の上面４６ａが、凸部２５の下面２５ｃに係止しているので、商品陳列スタンド３０が上方に抜けるのを防止している。
【００４９】
作業者は、商品陳列スタンド３０を前後方向に移動させる際には、係合部材４０と隣接する位置にある操作部７０aを手で摘まんで操作する。前述したように、商品陳列スタンド３０は、仕切板２０のガイドレール２３と係合及び係止しているので、仕切板２０に沿って移動し、なおかつ上方へ移動（仕切板２０から抜ける）しない。つまり、作業者は、商品陳列スタンド３０の操作部７０aを手で摘まんで前後方向に移動させるだけで、商品陳列スタンド３０の姿勢を維持したまま、容易に仕切板２０に沿って移動させることができる。なお、作業者が操作する部分は操作部７０aに限られず、商品陳列スタンド３０のどの部分であってもよい。
【００５０】
また、ガイドレール２３を仕切板２０の上端側に設けたことで、ガイドレール２３及び係合部材４０と、作業者が手で摘まんで操作する７０aとは、互いに隣接した位置になる。そして、このガイドレール２３及び係合部材４０との接触面には、商品陳列スタンド３０が移動する際に摩擦力が生じるが、この摩擦力が生じる接触面と、作業者が力を加える操作部７０aとは隣接した位置にあることから、作業者が加えた力が係合部材４０に伝わりやすく、商品陳列スタンド３０の移動が容易となる。
【００５１】
また、ガイドレール２３を仕切板２０の上端側に設けたことで、ガイドレール２３が仕切板２０の内側に突出しないので、商品の陳列スペースを狭めることがなく、また商品陳列スタンド３０を仕切板２０の内側面により近接させて配置することができる。
【００５２】
さらに、底面部６２の下端に補助レール８０が設けられている。補助レール８０を設けることで、作業者は、商品陳列スタンド３０を更に容易に移動させることができる。つまり、商品陳列スタンド３０の上端側はガイドレール２３によってガイドされ、商品陳列スタンド３０の下端側は補助レール８０によってガイドされることから、移動の際に商品陳列スタンド３０全体の姿勢が維持され、商品陳列スタンド３０の移動がより容易となる。
【００５３】
また、図７（ｄ）に示す、ぜんまい状のばねSの先端側を、土台部６０の引き出し口Cから引き出し（図７（a）参照）、ばねSの本体を土台部６０の２本のリブ６３の間に設置している。このばねSの先端側の取付部S１は、仕切板２０の円柱状の連結部２２（図２（a）参照）と同じ形状をしており、陳列商品表示具５０の嵌込部５１（図３参照）に連結固定することができる。
【００５４】
図７（a）及び（ｂ）に示すように、ばねSの先端側S２が引き延ばされた状態では、ばねSには、縮む方向（ぜんまい状に復元する方向）に弾性力が働くので、商品陳列スタンド３０を前方（矢印の方向）へ移動させる力が働いている。そのため、商品陳列スタンド３０の前方に陳列された商品が取り出されると、作業者は商品陳列スタンド３０を前方に押し出す必要があるが、ばねＳは、前方へ向かう弾性力によって、作業者が商品陳列スタンド３０を前方に移動させるのを補助することができる。また、ばねＳの弾性力を調節することで、陳列された商品が取り出された際に、ばねＳの弾性力のみによって、自動的に商品陳列スタンド３０が前方に押し出されるようにしてもよい。
【００５５】
なお、本実施例では、仕切板２０の高さに合わせて、商品陳列スタンド３０を土台部６０及び延長部７０から構成しているが、仕切板２０の高さが低い場合は、延長部７０を取り外して土台部６０のみを商品陳列スタンド３０として使用することができる。その場合は、係合部材４０（１）及び係合部材４０（２）が、土台部６０の両側の被取付部６７に取り付けられる。そして、その係合部材４０（１）及び係合部材４０（２）が、低い仕切板２０のガイドレール２３に係合及び係止することになる。土台部６０を移動させる際には、被取付部６７と隣接する位置にある操作部６０ａを手で摘まんで操作する。
【００５６】
次に、本発明の変形例を一実施形態の商品陳列ユニット１００と対比しつつ説明するが、一実施形態と共通する構成については説明を省略する。
【００５７】
（変形例１）
一実施形態の商品陳列ユニット１００は、仕切板２０にガイドレール２３を設けていたが、これに限定されない。図８（ａ）に示す商品陳列ユニット２００の仕切板１２０は、本体１２１の上端側にガイドレール２３を設けておらず、凹凸のない単なる板状である。この仕切板１２０に係合する係合部材１４０は、図８（ｂ）に示すように、本体１２１の上端側の断面形状と一致する開口１４２を備えている。
【００５８】
したがって、図８（ｃ）に示すように、狭幅部１４４が仕切板１２０の本体１２１に係合すると、狭幅部１４４の上面１４４ａ及び両側面１４４ｂが、本体１２１の上面１２１ａ及び両側面１２１ｂに接触することになる。勿論、開口１４２の幅を本体１２１の上端側の幅より狭くすることで、開口４２が本体１２１を両側から挟み込むようにしてもよい。また、商品陳列スタンド１３０の土台部１６０が補助レール１８０に係止するので、商品陳列スタンド１３０が上方へ外れるのを防止している。
【００５９】
なお、本願発明の商品陳列スタンド、及び商品陳列ユニットは、上記の実施例に限定されず、特許請求の範囲に記載された範囲、実施形態の範囲で、種々の変形例、組み合わせが可能であり、これらの変形例、組み合わせもその権利範囲に含むものである。
【産業上の利用可能性】
【００６０】
本願発明の商品陳列スタンド、及び商品陳列ユニットは、商品陳列スタンドを仕切板に沿って容易に移動可能であることが要請される産業分野に利用することができる。
【符号の説明】
【００６１】
１０          陳列棚
２０          仕切板
３０          商品陳列スタンド
４０          係合部材
５０          陳列商品表示具
６０          土台部
７０          延長部
８０          補助レール
１００        商品陳列ユニット
XS、XL        商品
S             ばね
【図１】
2014039580.tif 000003
【図２】
2014039580.tif 000004
【図３】
2014039580.tif 000005
【図４】
2014039580.tif 000006
【図５】
2014039580.tif 000007
【図６】
2014039580.tif 000008
【図７】
2014039580.tif 000009
【図８】
2014039580.tif 000010